(57)【特許請求の範囲】
【請求項１】
メディア再生装置を利用した建物用メディア再生システムであって、
建物に設けられた出力手段と、
前記メディア再生装置を載置可能にし、当該メディア再生装置が載置されたときに、前記メディア再生装置と電気的に接続される接続端子部を備える載置手段と、
前記接続端子部と前記出力手段とを電気的に接続し、前記メディア再生装置に格納された情報を出力手段へ伝達する接続手段と、
前記メディア再生装置に電力を供給する充電手段と、
前記建物の室内の壁面に埋め込んで取り付けられ、照明スイッチが設けられるスイッチボックスと、
を備え、
前記載置手段は、前記スイッチボックスに設けられることによって、建物の室内の壁面に埋込取付され、
前記接続手段及び充電手段は、建物の壁面内部に設けられた、
建物用メディア再生システム。
【請求項２】
前記スイッチボックスには、前記スイッチボックスの前面を覆い、前記照明スイッチが配置された照明スイッチパネルが設けられ、
前記載置手段は、前記メディア再生装置を下方から支持する支持台と、前記メディア再生装置の操作面と反対側の面に当接する支持部材と、箱状に形成されて前記建物の室内側の面から前記支持台及び前記支持部材が突設される壁面取付部とを備え、
前記壁面取付部の前記室内側の面は、前記照明スイッチパネルの前記室内側の面と一致するように形成される、
請求項１に記載の建物用メディア再生システム。
【発明の詳細な説明】
【技術分野】
【０００１】
本発明は、建物用メディア再生システムの技術に関し、特に、携帯用のメディア再生装置を利用した建物用メディア再生システムの技術に関する。
【背景技術】
【０００２】
従来、屋外へ携帯することができる小型のメディア再生装置が公知となっている。メディア再生装置は、ＣＤやＭＤやフラッシュメモリ等のメディア（媒体）に記憶した音楽などの音響情報や動画などの映像情報を再生することができる装置であり、主に屋外において、使用者が単独で再生された音響情報又は映像情報などを視聴するための装置である（例えば、特許文献１参照）。
【０００３】
小型のメディア再生装置は、屋外において音響情報や映像情報を再生することに特化されているため、ヘッドホンやイヤホンを介して音響情報を、小型のディスプレイから映像情報を再生していた。しかし、通常、音響情報や映像情報を室内において再生する場合、屋外での再生と比較して大きな音量で、または大きな画面で音響情報や映像情報を再生する傾向があり、小型のメディア再生装置は、室内において音響情報や映像情報を再生するのには適していなかった。
そこで、例えば、メディア再生装置を外付けのスピーカーやディスプレイなどの出力手段に接続し、メディア再生装置に格納された情報を出力手段で再生する技術が公知となっている（例えば、特許文献２参照）。
【０００４】
また、小型のメディア再生装置に電力を供給するための充電手段と接続される、メディア再生装置を載置可能な載置手段が公知となっている（例えば、特許文献３参照）。充電手段は、例えば、載置手段と接続するためのコネクタを備えた配線である。また、載置手段は、例えば、メディア再生装置を立てた状態で載置可能なクレードル装置である。
【先行技術文献】
【特許文献】
【０００５】
【特許文献１】特開２００９−１１０６４５号公報
【特許文献２】特開２００７−１１０６５６号公報
【特許文献３】特開２００７−２１３１２１号公報
【発明の概要】
【発明が解決しようとする課題】
【０００６】
しかし、メディア再生装置に外付けのスピーカーやディスプレイなどの出力手段を接続する場合、配線などの接続手段を建物内に配置しなければならず、接続手段を配置するための一定のスペースを確保する必要があった。また、露出した配線などの接続手段は建物内の意匠性を損なっていた。
また、充電手段と接続される載置手段を建物内で使用する場合には、載置手段及び充電手段を配置するための一定のスペースを確保する必要があった。また、露出したコネクタを有する配線などの充電手段は建物内の意匠性を損なっていた。さらに、建物内でメディア再生装置を操作する場合、載置手段にメディア再生装置を載置した状態で操作することが多くなるため、載置手段に置いた状態でのメディア再生装置の操作性を向上させる必要があった。
【０００７】
そこで、本発明は係る課題に鑑み、メディア再生装置で再生される情報を、建物に設けられた出力手段で再生することができ、かつ、意匠性が高い建物用メディア再生システムを提供する。
【課題を解決するための手段】
【０００８】
本発明の解決しようとする課題は以上の如くであり、次にこの課題を解決するための手段を説明する。
【０００９】
即ち、請求項１においては、メディア再生装置を利用した建物用メディア再生システムであって、建物に設けられた出力手段と、前記メディア再生装置を載置可能にし、当該メディア再生装置が載置されたときに、前記メディア再生装置と電気的に接続される接続端子部を備える載置手段と、前記接続端子部と前記出力手段とを電気的に接続し、前記メディア再生装置に格納された情報を出力手段へ伝達する接続手段と、前記メディア再生装置に電力を供給する充電手段と、前記建物の室内の壁面に埋め込んで取り付けられ、照明スイッチが設けられるスイッチボックスと、を備え、前記載置手段は、前記スイッチボックスに設けられることによって、建物の室内の壁面に埋込取付され、前記接続手段及び充電手段は、建物の壁面内部に設けられたものである。
【００１０】
請求項２においては、前記スイッチボックスには、前記スイッチボックスの前面を覆い、前記照明スイッチが配置された照明スイッチパネルが設けられ、前記載置手段は、前記メディア再生装置を下方から支持する支持台と、前記メディア再生装置の操作面と反対側の面に当接する支持部材と、箱状に形成されて前記建物の室内側の面から前記支持台及び前記支持部材が突設される壁面取付部とを備え、前記壁面取付部の前記室内側の面は、前記照明スイッチパネルの前記室内側の面と一致するように形成されるものである。
【発明の効果】
【００１２】
本発明の効果として、以下に示すような効果を奏する。
メディア再生装置で再生される情報を、建物に設けられた出力手段で再生することができる。また、メディア再生装置に接続する接続手段及び充電手段を壁面に納めることができるため、意匠性を向上させることができる。
また、メディア再生装置を載置手段に載置しながら、メディア再生装置の操作面を操作することができる。
また、電気的な配線が従来から敷設されている照明スイッチ付近に載置手段を設けたので、施工性が向上する。
【図面の簡単な説明】
【００１３】
【図１】本発明の一実施形態に係る建物用メディア再生システムの全体的な構成を示したブロック図。
【図２】建物用メディア再生システムを設けた室内を一点透視した正面図。
【図３】載置台を示す前方斜視図。
【図４】支持部材を示す前方斜視図。
【図５】接続端子部を示す（ａ）前方斜視図。（ｂ）後方斜視図。
【図６】上部部材を示す前方斜視図。
【図７】上部部材を示す（ａ）正面図（ｂ）Ａ−Ａ´線断面図。
【図８】下部部材を示す前方斜視図。
【図９】上部部材、操作部材、下部部材及びアダプタの組み立て構造を示す側面図。
【図１０】照明スイッチパネルを示す前方斜視図。
【図１１】載置台をスイッチボックス内に格納した照明スイッチパネルを示す前方斜視図。
【発明を実施するための形態】
【００１４】
次に、発明の実施の形態を説明する。
まず、本発明の一実施形態にかかる建物用メディア再生システム１の全体構成について図１及び図２を用いて説明する。建物用メディア再生システム１は、メディア再生装置１００が有する再生機能を利用して、メディア再生装置１００のメディアに記憶されている映像情報や音楽情報を建物内で再生するためのものである。メディア再生装置１００とは、例えば、携帯用のマルチメディアプレーヤーである。メディア再生装置１００は、記憶部（メディア）１０１を備えており、記憶部１０１には、音楽情報や映像情報などが格納されている。また、メディア再生装置１００はそれ自体にスピーカーや小型のディスプレイなどの出力部を有している構造であっても、出力端子やイヤホンジャックの出力部を備える構造であってもよい。
【００１５】
建物用メディア再生システム１は、建物に設置され、または、配置された音または映像の出力手段と、前記出力手段とメディア再生装置１００とを電気的に接続可能とする接続端子部３４を備えてメディア再生装置１００を載置可能とする載置手段と、前記出力手段と前記接続端子部３４とを接続する接続手段と、商用電源から電力を供給して変圧し前記接続端子部３４と接続してメディア再生装置１００を充電可能とする充電手段と、を備える。
【００１６】
前記出力手段は、音（主に音楽）の出力手段としてのスピーカー１１や映像の出力手段としてのディスプレイ１２等からなる。但し、接続端子部３４と出力手段との間に増幅器（アンプ）やミキサー等を配置する構成とすることも可能である。
前記音の出力手段としてのスピーカー１１は、直方体状に形成されており、建物の室内に分散して配置されている。本実施形態においては、建物の室内の壁面１０５に沿って二つ、壁面１０５と隣接する各壁面１０５・１０５に沿って一つずつ、合計４つのメインスピーカーと、壁面１０５に配置された二つのメインスピーカーの間に配置されたセンタースピーカーと、壁面１０５に配置されたメインスピーカーと隣接する低音域スピーカーと、から構成されている。各スピーカー１１は、図２に示すように建物の室内の壁面１０５に形成された引っ込み部１１１に設けられている。また、スピーカー１１は、図１に示すように音信号を受信する受信部１１ａを備えており、受信部１１ａは後述する接続配線１４によって載置台１３と接続されている。但し、スピーカーの形状や出力等は限定するものではない。
【００１７】
前記映像の出力手段としてのディスプレイ１２は、映像信号を受信して映像を表示するための装置であり、建物の室内の壁面１０５に形成された引っ込み部１１１に設けられている。また、ディスプレイ１２は、映像信号を受信する受信部１２ａを備えており、受信部１２ａは後述する接続配線１４によって載置台１３と接続されている。但し、ディスプレイ１２はモニターやプロジェクタ等で構成されるが、テレビやパソコン等であってもよい。また、表示形式は液晶やＣＲＴやプラズマ等限定するものではない。
【００１８】
前記載置手段としての載置台１３は、メディア再生装置１００を載置可能にする。載置台１３は図２に示すように、建物の室内の壁面１０５に設けられている。詳細は後述する。
【００１９】
前記接続手段としての接続配線１４は、スピーカー１１及びディスプレイ１２と載置台１３に設けた接続端子部３４とを電気的に接続し、メディア再生装置１００に格納された情報をスピーカー１１及びディスプレイ１２へ伝達する手段である。接続配線１４は一端に出力側コネクタ１４ａが設けられており、他端に入力側コネクタ１４ｂが設けられている。出力側コネクタ１４ａは、前記スピーカー１１及びディスプレイ１２の受信部１１ａ・１２ａに接続されている。また、入力側コネクタ１４ｂは、載置台１３の接続端子部３４に設けられた入力側コネクタ用接続孔３４ｄ（図５参照）に接続されている。
接続配線１４は、建物の壁面１０５内部に配線されており、建物の室内側からは見えないように配線されている。
【００２０】
前記充電手段としての充電装置１５は、充電コネクタ１５ａと充電器１５ｂと充電配線１５ｃからなり、充電コネクタ１５ａは接続端子部３４と接続するものであり、充電器１５ｂは商用電源１７の電圧を変圧し、交流を直流に変換するものである。充電配線１５ｃは商用電源１７と充電器１５ｂを接続するための配線である。こうして、載置台１３と建物に引き込まれた商用電源１７とを電気的に接続し、メディア再生装置１００に電力を供給できるようにしている。充電コネクタ１５ａは、載置台１３の接続端子部３４に設けられた充電コネクタ用接続孔３４ｅ（図５参照）に接続されている。
充電装置１５は、本実施形態では載置台１３内部に設けられているが、建物の壁面１０５内部に設ける構成であってもよく、室内側からは見えないように配置されている。
【００２１】
次に、載置台１３の構成について図３から図５を用いて説明する。なお、図３に示す矢印が指す方向を載置台１３の前方として説明する。
載置台１３は、室内の壁面１０５に埋め込んで取り付ける時に壁面１０５と平行になる壁面取付部３１と、メディア再生装置１００を下方から支持するための支持台３２と、メディア再生装置１００の操作面と反対側の面と当接する支持部材３３と、メディア再生装置１００が載置されたときに、メディア再生装置１００と電気的に接続される接続端子部３４と、を備える。載置台１３はＡＢＳなどの熱可塑性樹脂系の素材で形成されている。
【００２２】
壁面取付部３１は、室内の壁面１０５に埋め込んで取り付ける時に壁面１０５と平行になる部分である。壁面取付部３１は、直方体の箱状に形成されており、その上部には、支持部材３３の位置を決めるための位置決め溝３１ａが設けられている（図６参照）。位置決め溝３１ａの平面視略中心には螺子孔３１ｂが設けられている。
【００２３】
支持台３２は、壁面取付部３１の下部から前方へ突設されている。支持台３２は、直方体の箱状に形成されており、支持台３２の後面と壁面取付部３１の前面との間は連通している。また、支持台３２は、前方へ向かうにつれて下方に傾斜しており、支持台３２の角部は丸められている。支持台３２の内部には、メディア再生装置１００と電気的に接続される接続端子部３４が設けられている。
【００２４】
支持台３２の平面視中央部には、第一凹部３２ａが設けられており、この第一凹部３２ａには、アダプタ３６が着脱自在に嵌合されている。第一凹部３２ａの底面は、図７（ｂ）に示すように、前方に向かうにつれて上方に傾斜している。また、第一凹部３２ａの上端内周部は、下方へ向かうにつれて内側へ狭まるようにテーパ状に構成されている。このように構成することにより、アダプタ３６の一端を下方へ押し込むと、他端側が第一凹部３２ａから浮き上がり、容易に取り外すことができる。
【００２５】
アダプタ３６は、その平面視中心部にメディア再生装置１００の底面形状と同形状であって一回り大きい差込孔３６ａが設けられている。アダプタ３６はメディア再生装置１００の種類に合わせて複数の種類があり、アダプタ３６ごとに差込孔３６ａの形状が異なる。これにより、メディア再生装置１００の形状に合わせて選択的に嵌合することができるように構成されている。
【００２６】
また、支持台３２の前面中央部には、赤外線を通すための赤外線受信孔３２ｂが設けられている。赤外線受信孔３２ｂは、支持台３２の内部に設けられた接続端子部３４の赤外線受信部３４ｃの前方に設けられた孔であり、略矩形状に形成されている。赤外線受信部３４ｃに向けて図示せぬ操作用リモコンから赤外線が発信された場合に、当該赤外線が赤外線受信孔３２ｂを通って赤外線受信部３４ｃへと到達する。
【００２７】
また、壁面取付部３１の上部からは支持部材３３が前方へ突設されている。支持部材３３は、メディア再生装置１００の操作面（前面）と反対側の面（後面）と当接する。支持部材３３は、図４に示すように平面視略矩形状の部材であり、その角部は丸められている。支持部材３３の前端面はメディア再生装置１００と当接する部分が多くなるように平面状に形成されている。また、支持部材３３の上面前部は、前方に向かうにつれて下方へ傾斜している。支持部材３３の前部の傾斜角度は、支持台３２の傾斜角度と略同じ角度である。また、支持部材３３の後部であって、幅方向の略中心には螺子孔３３ａが設けられている。支持部材３３を位置決め溝３１ａに嵌設し、螺子孔３３ａ及び螺子孔３１ｂに螺子を螺嵌することにより、支持部材３３は、壁面取付部３１に固定される。また、支持部材３３の幅は、メディア再生装置１００の幅よりも小さくなるように形成されている。
【００２８】
接続端子部３４は、図５に示すように、略直方体状の部材であり、その内部には図示せぬ電気回路が設けられている。ここで、図５の矢印の指す方向を接続端子部３４の前方とする。接続端子部３４の平面視中央部には第二凹部３４ａが設けられており、第二凹部３４ａの底には接続端子３４ｂが設けられている。第二凹部３４ａは前方に向かうにつれて上方へと傾斜している。
また、接続端子部３４の前面には、図示せぬ操作用リモコンからの赤外線を受信するための赤外線受信部３４ｃが設けられている。
また、接続端子部３４の後面には、入力側コネクタ１４ｂを差し込むための入力側コネクタ用接続孔３４ｄと、充電コネクタ１５ａを差し込むための充電コネクタ用接続孔３４ｅと、が設けられている。本実施形態においては、入力側コネクタ用接続孔３４ｄは略矩形状に、充電コネクタ用接続孔３４ｅは略円形状にそれぞれ形成されている。接続端子部３４にメディア再生装置１００及び接続配線１４及び充電装置１５を接続することにより、接続端子部３４を介して、メディア再生装置１００、スピーカー１１及びディスプレイ１２、並びに充電装置１５が電気的に接続される。
【００２９】
次に、載置台１３の壁面取付部３１及び支持台３２を形成する部品について、図６から図８を用いて説明する。
壁面取付部３１及び支持台３２は、上部部材４１及び下部部材４２を組み合わせることにより形成されている。
上部部材４１は、図６及び図７に示すように、断面視略逆「Ｌ」字状に構成されており、立設部分（壁面１０５と略平行な部分）が壁面取付部３１を、横設部分（前方へ突設した部分）が支持台３２を形成している。立設部分は、壁面１０５側（後側）が開放された直方体状に構成されており、幅方向両端部にはフランジ部４１ａが設けられている。横設部分は下面が開放されている箱状に形成されており、その平面視中央部にはメディア再生装置１００を差し込むための第一凹部３２ａが設けられている。第一凹部３２ａの底面には、接続端子部３４の接続端子３４ｂを上方へ突設させるための長孔４１ｂが設けられている。また、横設部分は、前方に向かうにつれて下方に傾斜している。
【００３０】
下部部材４２は、図８に示すように、断面視略逆「Ｌ」字状に構成されており、立設部分（壁面１０５と略平行な部分）が壁面取付部３１を、横設部分（前方へ突設した部分）が支持台３２を形成している。立設部分は、板状に構成されている。立設部分の下部には接続配線１４及び充電装置１５の充電配線１５ｃを通すための連通孔４２ａが設けられている。連通孔４２ａは、接続端子部３４の入力側コネクタ用接続孔３４ｄ及び充電コネクタ用接続孔３４ｅの形状に合わせて設けられており、入力側コネクタ用接続孔３４ｄに対応する連通孔４２ａは略矩形状に、充電コネクタ用接続孔３４ｅに対応する連通孔４２ａは略円形状に形成されている。また、横設部分は板状に構成されている。横設部分の幅方向中心部には傾斜台４２ｂが設けられている。傾斜台４２ｂは、接続端子部３４を載置するための台であり、前方に向かうにつれて下方に傾斜している。
【００３１】
載置台１３を組み立てる際には、図９に示すように、まず下部部材４２の傾斜台４２ｂに接続端子部３４を固定し、上方から上部部材４１を下部部材４２に嵌合させる。この際、上部部材４１の長孔４１ｂから接続端子部３４の接続端子３４ｂが突設するように嵌合させる。また、接続端子部３４を傾斜台４２ｂに固定することで、接続端子部３４本体を前方に傾斜させ、上部部材４１の第一凹部３２ａの傾斜角度と接続端子部３４の第二凹部３４ａの傾斜角度とを一致させる。
そして、挟持部材４５（図３参照）によって上部部材４１のフランジ部４１ａと下部部材４２の立設部分の両側端とを挟持して固定するものである。
【００３２】
次に、載置台１３が設けられた照明スイッチパネル５１の構成について説明する。
照明スイッチパネル５１は、図１０に示すように、載置台１３と照明スイッチ５２とカバー部材５３とから構成される。載置台１３及び照明スイッチ５２は室内の壁面１０５に埋め込んで取り付けられているスイッチボックス５４内に格納されている。照明スイッチ５２は、スイッチボックス５４内において、図示せぬ電気配線を介して商用電源１７と照明器具とに接続されている。カバー部材５３は、載置台１３及び照明スイッチ５２の前面を露出させる開口部を有しており、スイッチボックス５４の前面を覆うように取り付けられる。
壁面取付部３１の室内側の面（前面）は、カバー部材５３の室内側の面（前面）と一致するように構成されている。また、支持台３２は、カバー部材５３の室内側の面（前面）よりも更に室内側（前側）に突設している。
【００３３】
また、図１１に示すように、支持台３２の前端とカバー部材５３の室内側の面（前面）とが一致するように載置台１３をスイッチボックス５４内に格納することも可能である。このように構成することにより、支持台３２が照明スイッチパネル５１から出っ張ることがなくなるため意匠性が向上し、使用者が支持台３２に意図せずに接触するのを防止することが可能となる。
【００３４】
次に、建物用メディア再生システム１の使用態様について説明する。
メディア再生装置１００は、載置台１３の支持台３２上面に嵌合されたアダプタ３６の差込孔３６ａに差し込まれる。メディア再生装置１００の下端は、アダプタ３６を貫通して、支持台３２の第一凹部３２ａに挿入され、第一凹部３２ａ底面から突設した接続端子３４ｂと接続される。これにより、メディア再生装置１００と、載置台１３の接続端子部３４とが電気的に接続される。
【００３５】
メディア再生装置１００が、差込孔３６ａに差し込まれるとき、第一凹部３２ａが前方へ向かうにつれて上方へ傾斜していることから、メディア再生装置１００は上方へ向かうにつれて後方に傾斜した状態で差し込まれる。メディア再生装置１００の上部であって、操作面（前面）と反対側の面（後面）には、支持部材３３が当接されており、メディア再生装置１００が支持部材３３に当接した状態から更に後方へ傾斜するのを防止している。
【００３６】
また、接続端子部３４の後面には入力側コネクタ１４ｂ及び充電コネクタ１５ａが差し込まれており、接続端子部３４に接続配線１４及び充電装置１５が接続されている。接続配線１４は連通孔４２ａを通って載置台１３の外部に延出し、接続配線１４の出力側コネクタ１４ａ・１４ａはスピーカー１１及びディスプレイ１２の受信部１１ａ・１２ａに接続される。また、充電装置１５の充電配線１５ｃは連通孔４２ａを通って載置台１３の外部に延出し、充電配線１５ｃは充電器１５ｂを介して商用電源１７に接続される。これにより、接続端子部３４とスピーカー１１及びディスプレイ１２、並びに商用電源１７が電気的に接続される。
このような状態において、商用電源１７からは充電装置１５及び接続端子部３４を介してメディア再生装置１００に電力が供給される。これにより、メディア再生装置１００が充電される。また、メディア再生装置１００に格納された音響情報及び映像情報は、接続端子部３４及び接続配線１４を介してスピーカー１１及びディスプレイ１２の受信部１１ａ・１２ａに出力される。スピーカー１１は音響情報に基づいて音楽などを再生する。ディスプレイ１２は映像情報に基づいて動画などを再生する。
【００３７】
以上のように、建物用メディア再生システム１は、メディア再生装置１００を利用した建物用メディア再生システム１であって、建物に設けられたスピーカー１１及びディスプレイ１２と、メディア再生装置１００を載置可能にし、メディア再生装置１００が載置されたときに、メディア再生装置１００と電気的に接続される接続端子部３４を備える載置台１３と、接続端子部３４とスピーカー１１及びディスプレイ１２とを電気的に接続し、メディア再生装置１００に格納された情報をスピーカー１１及びディスプレイ１２へ伝達する接続配線１４と、メディア再生装置１００に電力を供給する充電装置１５と、を備え、載置台１３は、建物の室内の壁面１０５に埋込取付され、接続配線１４及び充電装置１５は、建物の壁面１０５内部に設けられたものである。
【００３８】
このように構成することにより、メディア再生装置１００にスピーカー１１やディスプレイ１２などの出力手段を接続する場合に、接続配線１４及び充電装置１５を建物の壁面１０５内部に設けることで、接続配線１４及び充電装置１５を配置するためのスペースを省くことができる。接続配線１４及び充電装置１５は建物の室内からは見えないように配置されるので、意匠性が向上する。
また、接続配線１４及び充電装置１５と接続される載置台１３を建物内で使用する場合に、載置台１３が建物の室内の側面に設けられることにより、載置台１３を配置するためのスペースを省くことができる。従って、メディア再生装置１００で再生される情報を、建物に設けられたスピーカー１１及びディスプレイ１２で再生することができ、かつ、意匠性が高い建物用メディア再生システム１を提供することができる。
【００３９】
また、載置台１３は、建物の照明スイッチ５２が配置された照明スイッチパネル５１に設けられたものである。
このように構成することにより、電気的な配線が従来から敷設されている照明スイッチ５２付近に載置台１３を設けられるので、施工性が向上する。また、照明スイッチパネル５１は部屋の入口付近に設けられることが多いので、使用者は、メディア再生装置１００の操作や着脱を入室時や外室時に行うことができる。これにより、使用者がメディア再生装置１００を置き忘れることを防止する。また、メディア再生装置１００を載置する高さが照明スイッチ５２と略同じ高さとなるので、その操作性を向上することができる。
【００４０】
また、載置台１３は、メディア再生装置１００を下方から支持する支持台３２と、メディア再生装置１００の操作面と反対側の面に当接する支持部材３３とを備えるものである。
このように構成することにより、メディア再生装置１００が支持台３２によって下方から、支持部材３３によって操作面と反対側の面側（後側）から固定されるので、メディア再生装置１００を載置台１３に載置しながら、メディア再生装置１００の操作面を操作することができる。
【００４１】
なお、本実施形態においては、出力手段をスピーカー１１及びディスプレイ１２で構成しているが、音響情報及び映像情報などの電気的な情報を変換して音を出力するもしくは映像を表示することができる装置であれば、これに限定するものでなく、スピーカー１１及びディスプレイ１２の構成もこれに限定するものではない。例えば、スピーカー１１を、壁に埋め込む構成にすることも可能であるし、室内の側壁全体を振動板とする構成にすることも可能である。
【００４２】
また、本実施形態においては、接続手段を接続配線１４で構成しているが、接続端子部３４とスピーカー１１及びディスプレイ１２とを電気的に接続し、メディア再生装置１００に格納された情報をスピーカー１１及びディスプレイ１２へ伝達することができる装置であれば、これに限定するものではない。例えば、音響情報及び映像情報を、電波を用いて伝達する近距離無線通信装置によって構成することも可能である。
【符号の説明】
【００４３】
１    メディア再生システム
１１    スピーカー
１２    ディスプレイ
１３    載置台
１４    接続配線
１５    充電配線
３２    支持台
３３    支持部材
３４    接続端子部
５１    照明スイッチパネル
５２    照明スイッチ
１００    メディア再生装置
【図１】
0005694694.tif 000002
【図２】
0005694694.tif 000003
【図３】
0005694694.tif 000004
【図４】
0005694694.tif 000005
【図５】
0005694694.tif 000006
【図６】
0005694694.tif 000007
【図７】
0005694694.tif 000008
【図８】
0005694694.tif 000009
【図９】
0005694694.tif 000010
【図１０】
0005694694.tif 000011
【図１１】
0005694694.tif 000012